(57)【要約】【課題】  指圧操作のみによって名札部を簡単に出し入れするようにした。【解決手段】  上縁開口した薄型のケース６と、ケースの開口６ａを通じてケース６内から出没可能であって、突出状態で名札部５をケース上縁に露出させたカード７と、ケース６内部にあって、カード７を常時上方に突出付勢する付勢手段８と、カード７をケース６内に押込み、ケース６内に没入させた状態で、カード７をケース６内に係止するロック手段（係止爪１１、１２）と、係止状態においてカード７の上縁を更にケース６内に押込むことにより、係止を解除し、再度前記ケース６上縁により前記名札部５を突出させるためのロック解除手段（ロック解除用凸部１４）を備えた。【選択図】      図２
2006091693.tif 000002
【特許請求の範囲】
【請求項１】
上縁開口した薄型のケースと、前記ケースの開口を通じてケース内から出没可能であって、突出状態で名札部をケース上縁に露出させたカードと、前記ケース内部にあって、前記カードを常時上方に突出付勢する付勢手段と、前記カードを前記ケース内に押込み、ケース内に没入させた状態で、前記カードを前記ケース内に係止するロック手段と、係止状態において前記カードの上縁を更にケース内に押込むことにより、前記係止を解除し、再度前記ケース上縁により前記名札部を突出させるためのロック解除手段を備えたことを特徴とする名札ホルダー。
【請求項２】
前記ケースには衣服の適宜位置ないし胸部に設けたポケットの内側に固定する手段を備えたことを特徴とする請求項１記載の名札ホルダー。
【請求項３】
前記ケースには前記カードの昇降ガイド溝が形成され、前記カードには前記ガイド溝に係合するガイド突起が突設されていることを特徴とする請求項１記載の名札ホルダー。
【発明の詳細な説明】
【技術分野】
【０００１】
本発明は、名札ホルダーに関し、特にワンタッチ操作により名札の出し入れを行えるようにしたものに関する。
【背景技術】
【０００２】
一般に、学生服、作業服、その他制服などにおいては、その着用者の所属や氏名を記した名札を胸部に取付けることが行われている。このことは、相手に個人名と所属部門を明示することや、特に商取引現場においては、顧客に対して個人名を識別させることで責任などを明確化することを主目的としている。
【０００３】
しかしながら、学校や、職場以外の場所で名札を付けたままである場合、不審者などがその名札を見て所属や個人名を覚えられることにより、プライバシーを損ない、思わぬ事件、事故に巻込まれるおそれも生ずる。
また、名札は、胸ポケットの前面に安全ピンなどで固定されているため、これをとる場合には、ピンを抜き、ポケットにしまい込むようにすればよいが、何回も脱着を繰返すことで、生地を傷め易く、また以外と面倒な作業であり、取忘れや、必要時における付け忘れ、あるいは紛失などのおそれも生ずる。
【０００４】
そこで、下記特許文献１〜３に示す名札が開発されている。特許文献１の名札は、名札の外周に帯を設け、安全ピンに対して帯を移動可能に装着し、名札そのものを反転可能としたもの、特許文献２の名札は衣服における胸ポケットに収納可能な名札であり、特許文献３の名札は名札ホルダー及びその取付構造であり、いずれも不要時には、裏返すか、あるいは表面の名札をポケットに入れ込む構造となっている。
【特許文献１】特開平１１−３８８８２号公報
【特許文献２】実用新案登録第３０９５３３５号公報
【特許文献３】特開２００３−１８６４０７号公報
【発明の開示】
【発明が解決しようとする課題】
【０００５】
しかし、特許文献１に記載のものは、構造的には簡単であるが、不確実であり、裏返した場合にあっても、裏側から文字が覗き見えるおそれもあった。
また、特許文献２のものでは、出し入れ回数が頻繁になると、名札が破損する可能性があり、更に特許文献３のものではある一定幅の取付部を逢着などにより服地に取付けなければならず、取付の利便性に欠くものとなっていた。
そこで本発明は、以上の課題を解決するものであって、その目的は、指圧操作のみによって名札部を簡単に出し入れできるようにした名札ホルダーを提供するものである。    
【課題を解決するための手段】
【０００６】
前記目的を達成するため、本発明に係る名札ホルダー１は、図の実施の形態にも示すように、上縁開口した薄型のケース６と、前記ケースの開口６ａを通じてケース６内から出没可能であって、突出状態で名札部５をケース上縁に露出させたカード７と、前記ケース６内部にあって、前記カード７を常時上方に突出付勢する付勢手段８と、前記カード７を前記ケース６内に押込み、ケース６内に没入させた状態で、前記カード７を前記ケース６内に係止するロック手段（係止突起１１、１２）と、係止状態において前記カード７の上縁を更にケース６内に押込むことにより、前記係止を解除し、再度前記ケース６上縁により前記名札部５を突出させるためのロック解除手段（ロック解除用凸部１４）を備えたことを特徴とする。
【０００７】
請求項２の発明では、前記ケース６には衣服の適宜位置ないし胸部に設けたポケットの内側に固定する手段（取付手段４）を備えたことを特徴とする。
【０００８】
請求項３の発明では、前記ケース６には前記カード７の昇降用ガイド溝９が形成され、前記カード７には前記ガイド溝９に係合するガイド突起１０が突設されていることを特徴とする。
【発明の効果】
【０００９】
以上の構成によれば、名札部５がケース６上に露出している状態から、指で押込むことにより、ケース６内に格納された状態にロックされ、この状態から更に押込むことにより、ロックが解除されて、再度名札部５がケース６上に露出するため、恰もノック式ボールペンのような指圧操作のみで名札部５の露出格納動作を行うことができる。
請求項２の発明では、衣服に対する取付が簡単となり、さらには請求項３の発明では、カード７のケース６に対する移動がスムーズとなる。
【発明を実施するための最良の形態】
【００１０】
以下本発明の最良の実施の形態につき添付図面を参照して説明する。図１（ａ）〜（ｃ）は本発明の名札ホルダーを看護士の作業用上衣における名札に適用した場合の表示及び格納状態を示す説明図である。
【００１１】
図１（ａ）において、名札ホルダー１は、着用者の上衣２における胸ポケット３の内側に取付手段４を介して取外し可能に懸架され、勤務時間及び勤務場所において、その名札部５を胸ポケット３の上縁より露出させ、その所属・氏名などを相対する人に表示している。取付手段４は、この実施の形態では、一対の懸架式クリップにより構成されているが、面ファスナーやホック、ボタンなどにより構成してもよい。
【００１２】
そして、プライベート時間や、プライベートな場所に移動した際に、名札表示が不要となり、名札部５を隠そうとする場合には、（ｂ）に示すように、人差指などで名札部５の上縁を押圧することで、（ｃ）に示すように、名札部５は、胸ポケット３内に格納され、この状態にロックされる。
また、業務復帰した場合など、再び表示が必要となった場合には、ロック状態から名札部５の上縁を再度押圧することで、後述するロック解除機構を動作させて再び（ａ）に示すように名札部５が露出し、再表示状態となる。
【００１３】
図２は以上の名札ホルダー１の詳細構造を示している。図において、前記名札ホルダー１は、前記取付手段４を介してポケット３内に格納される上部開口６ａの薄型のケース６と、ケース６の上部開口６ａより出没可能に突出する扁平なカード７とを備え、カード７の上半部を前記名札部５とし、その内側の浅溝状に画成された位置に当該看護士の所属・氏名を記載し、又はこれを印字したネームシール５’を貼付けている。
【００１４】
ケース６は前後半割状をした合成樹脂射出成形体であり、カード７も同じく合成樹脂射出成形体からなるものである。また、前記取付手段４を構成するクリップは、鈎型をした金属又はプラスチック成形体からなり、ケース７の前縁部に超音波溶着などにより、一体的に固定されている。
【００１５】
ケース６内の左右には、下端をケース６の内底面に、上端をカード７の下部左右に当接させた一対の圧縮コイルスプリングよりなる付勢手段８が介挿され、常時カード７を上部突出側に付勢している。
【００１６】
また、ケース６の前面には一対の縦ガイド溝９が開口形成され、これに対応してカード７の下部側の前面左右には前記ガイド溝９に係合してこれに昇降ガイドされる長円形の一対のガイド突起１０が突設され、これらによりカード７の上昇・下降動作をスムーズに行うとともに、カード７の上下降位置の位置決めを行っている。
【００１７】
更に、ケース６の前部側の下部中央には、周囲を略コ形に貫通状に切り欠いた状態で、この切欠溝１１ａに左右と下部が囲まれてケース７の内側に弾性的に突出する係止突起１１が形成され、これに対応してカード７の下端中央にはこの係止突起１１に係合する係止突起１２が突設され、更にこの係止突起１２の上部側には、ロック解除手段を構成するロック解除用凸部１４が突設されている。係止突起１１、１２は、互いに係脱自在とされるように爪状に形成されている。ロック解除用凸部１４の構成と動作の詳細は、図４を参照して後述する。
【００１８】
次に以上の構成における表示及び格納操作時における動作を図３を用いて説明する。まず図３（ａ）は表示状態を示し、カード７は付勢手段８のバネ圧により上昇位置にある。なお、この状態では図１（ａ）に示すように、名札部５は胸ポケット３の上縁に突出し、これにより、着用者に相対する人はその所属・氏名を一目瞭然できる。
【００１９】
この状態から名札部５を格納するには、カード７の上縁に指圧を加え（図１（ｂ）参照）、バネ圧に抗してカード７をケース６内に押込むと、図３（ｂ）の一部に拡大して示すように、係止突起１１，１２同士が係合し、格納状態にロックされる。このロックの確認は係合時のクリック音などによって明瞭に確認できる（図１（ｃ）参照）。
【００２０】
ロック解除するには、更にカード７の上縁に指圧を加えると、図３（ｃ）の一部に拡大して示すように、カードは係合位置から更に若干下がり、ロック解除用凸部１４が前記係止突起１１を押しのける結果、係止突起１１，１２同士が離間し、ロック解除され、図３（ｄ）に示すように、バネ圧により再度表示位置まで上昇するのである。
【００２１】
図４ａ，ｂ，ｃは、ロック解除用凸部１４を含むロック解除手段の構成と動作の詳細図であり、これにより、その詳細を説明する。
ロック解除用凸部１４は、カード７の下部の前記カード側係止突起１２の上部に形成された縦長の凹部よりなる調整溝７ａ内に、上下に所定ストローク昇降自在に嵌挿されている。
しかして、図４ａ（及び図３ｂ）に示すように、係止突起１１，１２同士が係合し、カード７が格納状態にロックされた時には、ロック解除用凸部１４は、調整溝７ａの上端部に位置している。この格納状態で、カード７の上縁に指圧を加えると、図４ｂ（及び図３ｃ）に示すように、カードは係合位置から更に若干下がり、ロック解除用凸部１４が前記係止突起１１を押しのける結果、係止突起１１，１２同士が離間し、ロック解除される。この状態で指を離すと、付勢手段８に押されてカード７が表示位置まで上昇するが、この時、図４ｃに示すように、ロック解除用凸部１４が調整溝７ａ内を相対的に下降し、ロック解除用凸部１４の先端面と係止突起１２の先端面とが上下に連続し、係止突起１２が係止突起１１に係合するということがない。
【００２２】
以上のごとく、恰もノック式ボールペンのように、プッシュ操作毎に名札部５を出し入れできるため、操作が極めて簡単であり、かつ格納状態ではケース７内に確実に名札部５を格納できるため、秘匿性も十分に確保できることになる。
【００２３】
なお、以上の実施形態では胸ポケット３の内側に名札ホルダー１のケース６を入れた場合を示したが、ケース６そのものにより名札部５を格納できるため、ポケット３の前面側に装着することもできる。但しこの場合には、クリップ４のケース６に対する取付位置、ネームシール５’の名札部５に対する貼着位置が前後逆となることも勿論である。
【００２４】
また、実施形態では懸架式クリップよりなる取付手段４によりポケット３に固定するようにしたが、ケース７の背面側に安全ピンなどの取付部を設けておくことで、ポケットのみならず、衣服の適宜な箇所にピンどめして用いることもできる。カード７の出し入れを、ポケット３前縁の折り返しの頂部に形成したスリットから行わせることも可能であり、この場合には、名札ホルダー１をポケット３の内部にコンパクトに収納できる。
【産業上の利用可能性】
【００２５】
本発明に係る名札ホルダーは、制服などの洋服上着の他、鞄やスリッパ入れ、ゴルフバッグなどの持ち運び用品の名札ホルダーとしても利用可能である。
【図面の簡単な説明】
【００２６】
【図１】（ａ）〜（ｃ）は本発明の名札ホルダーを看護士用上衣に適用した場合の表示及び格納状態を示す説明図である。
【図２】同名札ホルダーの正断面図と、これのＡ−Ａ線及びＢ−Ｂ線における側断面図及び平断面図である。
【図３】（ａ）〜（ｄ）は同名札ホルダーの表示及び格納操作時における内部構造を示す正断面図及び側断面図である。
【図４】（ａ）〜（ｃ）は同名札ホルダーのロック解除手段部の構成と動作の詳細を示す拡大側断面図である。
【符号の説明】
【００２７】
１  名札ホルダー
２  上衣
３  胸ポケット
４  取付手段
５  名札部
６  ケース、６ａ  開口
７  カード、７ａ  調整溝
８  付勢手段
９  ガイド溝
１０  ガイド突起
１１，１２  係止突起（ロック手段）、１１ａ  切欠溝
１４  ロック解除用凸部（ロック解除手段）
【図１】
2006091693.tif 000003
【図２】
2006091693.tif 000004
【図３】
2006091693.tif 000005
【図４】
2006091693.tif 000006